【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
プロセスプラント内でプロセスを制御するために動作するプロセス制御システムであって、
複数のプロセス制御設備資源と、
プロセスコントローラと、
オペレータユーザインターフェースと、
メンテナンスユーザインターフェースと、
前記オペレータユーザインターフェースと前記メンテナンスユーザインターフェースの各々が前記プロセス制御設備資源の１つにアクセス可能かどうかを前記複数のプロセス制御設備資源の各々に対して判断するための情報を格納するデータベースと、
を備えるシステム。
【請求項２】
前記データベースにアクセスするため、
前記データベースに格納した前記情報を翻訳するため、及び
前記データベースに格納した前記情報に従って前記複数のプロセス制御設備資源の各々にメッセージを選択的に通すために、
操作可能なメッセージを扱うルーチンを更に備える請求項１に記載のプロセス制御システム。
【請求項３】
前記情報は、前記複数のプロセス制御設備資源の各々に対して、デバイスＩＤ及び前記メンテナンスユーザインターフェースが前記プロセス制御設備資源の１つにアクセスできるかどうか示す値を備える、
請求項１または２に記載のプロセス制御システム。
【請求項４】
前記情報は、前記複数のプロセス制御設備資源の各々に対して、前記プロセス制御設備資源の前記１つにアクセスできる１人以上の特定の作業員を示す値を更に備える、
請求項３に記載のプロセス制御システム。
【請求項５】
前記情報は、前記複数のプロセス制御設備資源の各々に対して、前記プロセス制御設備資源の前記１つに対するアクセスレベルを示す値を更に備える、
請求項３記載のプロセス制御システム。
【請求項６】
前記データベースは複数のレジスタを備え、コンピュータ読取り可能ストレージデバイスに格納され、各レジスタは、前記プロセス制御設備資源の１つについて、前記オペレータユーザインターフェースと前記メンテナンスユーザインターフェースの各々が前記プロセス制御設備資源の前記１つにアクセスできるかどうかを指示するために操作可能である、
請求項１〜５のいずれか一項に記載のプロセス制御システム。
【請求項７】
前記オペレータユーザインターフェースに結合された第１表示デバイスに前記メンテナンスユーザインターフェースがアクセス可能なプロセス制御設備資源の第１リストを表示させるために操作可能な第１表示ルーチンと、
前記メンテナンスユーザインターフェースに結合された第２表示デバイスに前記メンテナンスユーザインターフェースがアクセス可能なプロセス制御設備資源の第２リストを表示させるために操作可能な第２表示ルーチンとを更に備え、
前記第１及び第２リストが前記データベースに従って生産される又はアップデートされる、
請求項１〜６のいずれか一項に記載のプロセス制御システム。
【請求項８】
１以上のバッチを予定し各バッチに対してプロセス制御設備資源を割り当てるために操作可能なバッチ実行エンジンを更に備え、前記バッチ実行エンジンは前記データベースに通信可能に結合され及び前記データベースに格納した前記情報に従って前記プロセス制御設備資源を割り当てる、
請求項１〜７のいずれか一項に記載のプロセス制御システム。
【請求項９】
前記バッチ実行エンジンは、前記データベースに格納した前記情報により前記割り当てられたプロセス制御設備資源の１以上が前記オペレータユーザインターフェースにとってアクセス不能になることを示された場合に予定されたバッチのためにプロセス制御設備資源を再割り当てする、
請求項１〜８のいずれか一項に記載のプロセス制御システム。
【請求項１０】
前記プロセス制御設備資源の１つへのアクセスは、前記資源にメッセージを送ること、前記資源からメッセージを受信すること、前記資源における動作を起こすこと、前記資源を操作すること、及び前記資源の状態を変更すること、の１以上を含む、
請求項１〜９のいずれか一項に記載のプロセス制御システム。
【請求項１１】
１以上のプロセッサによって実行されるためのコンピュータ読取り可能命令の１以上のセットを格納しているコンピュータ読取り可能ストレージメディアであって、前記命令は、前記１以上のプロセッサによって実行される場合、前記１以上のプロセッサに、
前記プロセスプラント内で動作するプロセスの一部として動作する複数のプロセス制御設備資源を制御するように作動する第１ユーザインターフェースを表示、
前記複数のプロセス制御設備資源をメンテナンスすることに関連したタスクを実行するように作動する第２ユーザインターフェースを表示、
プロセス制御設備資源の各々に対するアクセスパラメータを示す前記プロセス制御設備資源のリストを保持、
各プロセス制御設備資源と関連づけられた前記アクセスパラメータに従って、前記第１ユーザインターフェースと前記プロセス制御設備資源の各々の間の通信を選択的に促進、及び
各プロセス制御設備資源と関連づけられた前記アクセスパラメータに従って、前記第２ユーザインターフェースと前記プロセス制御設備資源の各々の間の通信を選択的に促進させる、コンピュータ読取り可能ストレージメディア。
【請求項１２】
前記１以上のプロセッサに前記第２ユーザインターフェースのユーザが前記アクセスパラメータの１以上を修正することを可能にさせるために動作可能な命令を更に備える、
請求項１１に記載のコンピュータ読取り可能ストレージメディア。
【請求項１３】
前記１以上のプロセッサに、
前記１以上のプロセッサが、前記第２ユーザインターフェースと前記１以上の通信パラメータと関連づけられた前記プロセス制御設備資源の各々との間で第１セットの通信を促進するよう、及び
前記１以上のプロセッサが、前記第１ユーザインターフェースと前記１以上の通信パラメータと関連づけられた前記プロセス制御設備資源の各々との間で第２セットの通信を促進しないよう、
前記第２ユーザインターフェースのユーザに前記通信パラメータの１以上の変更を可能にさせるために動作可能な命令を更に備える、
請求項１１または１２に記載のコンピュータ読取り可能ストレージメディア。
【請求項１４】
前記１以上のプロセッサに、前記第１ユーザインターフェースのユーザに前記第２ユーザインターフェースのユーザからの要求を審査し、前記要求を承諾又は拒否することを可能にさせる動作可能な命令を更に備える、
請求項１３に記載のコンピュータ読取り可能ストレージメディア。
【請求項１５】
前記１以上のプロセッサに、
前記リストされたプロセス制御設備資源の１以上を前記第２ユーザインターフェースを介して表示、
アクセスを要求するプロセス制御設備資源の選択を前記第２ユーザインターフェースを介して受信、
前記選択されたプロセス制御設備資源を前記第１ユーザインターフェースを介して表示、
前記要求されたアクセスを承諾する又は拒否する判断を前記第１ユーザインターフェースを介して受信、及び
アクセスが要求された前記プロセス制御設備資源と関連づけられた前記アクセスパラメータを選択的に修正させるために動作可能な命令を更に備える、
請求項１３に記載のコンピュータ読取り可能ストレージメディア。
【請求項１６】
前記１以上のプロセッサに、
前記リストされたプロセス制御設備資源の１以上を前記第２ユーザインターフェースを介して表示、
アクセスを要求するプロセス制御設備資源の選択を前記第２ユーザインターフェースを介して受信、及び
アクセスが要求された前記プロセス制御設備資源と関連づけられた前記アクセスパラメータを選択的に修正させるために動作可能な命令を更に備える、
請求項１３に記載のコンピュータ読取り可能ストレージメディア。
【請求項１７】
プロセスプラントのプロセスにおいて動作するプロセス設備制御資源に第１及び第２ユーザによるアクセスを選択的に促進する方法であって、前記方法は、
前記第１及び第２ユーザのどちらが前記プロセス制御設備資源にアクセスできるかを示す情報を格納し、
前記プロセス制御設備資源のための前記格納した情報を探索し、
前記プロセス制御設備資源にアクセス可能なユーザを判断するための前記探索された情報を評価し、及び
前記評価に従って前記第１又は前記第２ユーザのどちらかによる前記プロセス制御設備資源へのアクセスを選択的に促進することを備える、
方法。
【請求項１８】
前記プロセス制御設備資源にアクセスするための要求を第１ユーザから受信し、
前記プロセス制御設備資源にアクセスするための要求を第２ユーザに表示し、
前記要求を承諾する又は拒否するかの選択を前記第２ユーザから受信し、及び
前記第２ユーザから受信した前記選択に従って前記格納した情報を選択的に修正することを更に備える、
請求項１７に記載の方法。
【請求項１９】
前記プロセス制御設備資源へのアクセスを前記第２ユーザに返却するための要求を前記第１ユーザから受信し、
アクセスを前記第２ユーザに返却するための要求を前記第２ユーザに表示し、
確認を前記第２ユーザから受信し、及び
前記要求及び確認に従って前記格納した情報を選択的に修正することを更に備える、
請求項１８に記載の方法。
【請求項２０】
前記格納した情報は、前記選択されたユーザに提供するための前記アクセスの指示を含む、
請求項１７〜１９のいずれか一項に記載の方法。